(57)【要約】【課題】キーボードを小型化した場合でも、バックプレート部に保持できる水の容量を十分に確保して、防水性能を向上させることができるようにする。【解決手段】本発明に係る携帯型電子機器は、内部に回路基板を収容し、配線挿通穴が形成されたフロントケースと、配線挿通穴を覆ってフロントケースに取り付けられたキーボード１３と、配線挿通穴を通してキーボード１３と回路基板とを接続するキーボタン用フレキシブル基板２０とを備え、キーボード１３に、その縁部が部分的に外側へ突出した爪部１７が設けられるとともに、その縁部の全周に渡って、上方へ起立した水溜め壁１８が設けられる一方、フロントケースに、キーボード１３の爪部１７に嵌合する爪引掛部が設けられたものである。【選択図】図３
2012027593.tif 000002
【特許請求の範囲】
【請求項１】
内部に回路基板を収容するとともに、配線挿通穴が貫通形成されたケーシングと、
前記配線挿通穴を覆うようにして前記ケーシングの外側面に取り付けられたキーボードと、
前記配線挿通穴を通して前記キーボードと前記回路基板とを接続する電気配線と、
を備える携帯型電子機器において、
前記キーボード及び前記ケーシングのいずれか一方に係止部が設けられ、他方に前記係止部に係止可能な被係止部が設けられ、
前記キーボードの縁部の全周に渡って、上方へ起立した水溜め壁が設けられたことを特徴とする携帯型電子機器。
【請求項２】
前記係止部が、前記キーボードの縁部を部分的に外側へ突出させた爪部であって、
前記被係止部が、前記爪部に嵌合する形状の爪引掛部であることを特徴とする請求項１に記載の携帯型電子機器。
【請求項３】
前記キーボードの裏面から突出して、ネジ孔が形成されたネジボス部が設けられる一方、前記ケーシングに、底部にネジ挿通孔が形成されたボス嵌合凹部が設けられたことを特徴とする請求項１又は２に記載の携帯型電子機器。
【発明の詳細な説明】
【技術分野】
【０００１】
本発明は、キーボードを有する携帯型電子機器に関するものである。
【背景技術】
【０００２】
近年、ノート型のパーソナルコンピュータ（以下、ノートパソコンと略称する）や多機能型の携帯電話端末（以下、スマートフォンと略称する）のような、キーボードを備えた携帯型電子機器が増加している。また、常時、携帯型電子機器を携帯しているユーザが増加しており、野外や悪天候時等、様々な環境の下で携帯型電子機器が使われることが多くなってきている。このことから、携帯型電子機器に対して、小型、軽量化の要望と共に、野外や悪天候時にも問題なく使用できる防水機能や、落下や衝撃があっても破損や故障に至らない頑丈な構造が要望されてきている。また、防水機能が備えられていると、使用時にユーザが誤って飲料水をキーボードにこぼしてしまったような場合にも、内部の機器に損傷を与えることがなく、安心して使用を続けられる。
【０００３】
携帯電子機器に備えられているキーボードは、例えばパンタグラフ機構を備えたキーを、キーボードの底面のバックプレートに固定して構成されている。また、このようなキーボードで、更にキーボード自体に防水機構が備えたものもある。しかしながら、キーボード側に防水機能を設けても、キーボードからこぼれた水が更に携帯型電子機器の内部に入り込んでしまうことがある。そこで、キーボードのバックプレートを桶形状にすることによって、キーボード内に水が溜り、そこから水がこぼれないようにして装置内への浸水を防ぐ携帯型電子機器が提案されている（例えば特許文献１）。
【先行技術文献】
【特許文献】
【０００４】
【特許文献１】特開２００９−１６９５６９号公報
【発明の概要】
【発明が解決しようとする課題】
【０００５】
上述のように、バックプレートを桶形状にして、キーボード内の水を溜めるようにした構造では、キーボードに溜められる水の容量は、キーボードの大きさに大きく依存する。したがって、携帯型電子機器の小型化が進み、キーボードが小型化されると、これに伴い、キーボードに溜められる水の容量が減少し、防水性能が低下すると考えられる。
【０００６】
また、キーボードのバックプレートは、携帯型電子機器の小型化に伴い薄くなることが予測され、落下の衝撃等で変形しやすくなるというような強度不足となる懸念がある。
【０００７】
上述の課題を鑑み、本発明は、キーボードを小型化した場合でも、バックプレートに保持できる水の容量を十分に確保して、防水性能を向上させることができると共に、十分な強度を確保できるようにした携帯型電子機器を提供することを目的とする。
【０００８】
本発明は、このような事情を考慮してなされたものであり、その目的は、キーボードを小型化した場合でも、バックプレートに保持できる水の容量を十分に確保して、防水性能を向上させることができると共に、十分な強度を確保できるようにした携帯型電子機器を提供することにある。
【課題を解決するための手段】
【０００９】
上記目的を達成するために、本発明は以下の手段を採用している。すなわち、本発明に係る携帯型電子機器は、内部に回路基板を収容するとともに、配線挿通穴が貫通形成されたケーシングと、前記配線挿通穴を覆うようにして前記ケーシングの外側面に取り付けられたキーボードと、前記配線挿通穴を通して前記キーボードと前記回路基板とを接続する電気配線と、を備える携帯型電子機器において、前記キーボード及び前記ケーシングのいずれか一方に係止部が設けられ、他方に前記係止部に係止可能な被係止部が設けられ、前記キーボードの縁部の全周に渡って、上方へ起立した水溜め壁が設けられたことを特徴とする。
【発明の効果】
【００１０】
本発明に係る携帯型電子機器によれば、キーボードの縁部の全周に渡って水溜め部が設けられているため、キーボードから水が浸入しても、この水はキーボードの上面に貯留される。従って、キーボードから浸入した水が配線挿通穴を通ってケーシングの内部へ浸入することがないため、高い防水効果が得られる。
また、キーボードの縁部の全周に渡って設けた水溜め部によってキーボードが構造的に補強されるため、落下衝撃を受けた時や組み立て作業時にキーボードが変形しにくい。
また、キーボードとケーシングとを係止部と被係止部との係止によって固定しているため、両者の組み立てに使用するネジの本数を減らすことができるとともに、組み立て工数を減らすことができる。
また、キーボードとケーシングとを係止部と被係止部との係止によって固定しているため、キーボードの厚み方向へのガタツキを防止することができるとともに、キーボードの水平方向への位置ズレを防止することもできる。
【図面の簡単な説明】
【００１１】
【図１】本発明の第１の実施形態に係る携帯型電子機器の全体構成を示す斜視図である。
【図２】本発明の第１の実施形態に係る携帯型電子機器の構成を示す分解斜視図である。
【図３】本発明の第１の実施形態に係る携帯型電子機器におけるキーボードの構成を示す斜視図である。
【図４】本発明の第１の実施形態に係る携帯型電子機器におけるフロントケースを正面側から見た状態を示す斜視図である。
【図５】本発明の第１の実施形態に係る携帯型電子機器におけるフロントケースを背面側から見た状態を示す斜視図である。
【図６】本発明の第１の実施形態に係る携帯型電子機器における回路基板の構成を示す斜視図である。
【図７】本発明の第１の実施形態に係る携帯型電子機器におけるキーボードのフロントケースへの取り付け状態を示す断面図である。
【発明を実施するための形態】
【００１２】
以下、本発明の実施の形態について図面を参照しながら説明する。図１は、本発明の第１の実施形態に係る携帯型電子機器Ｋの斜視図である。図１に示すように、本発明の第１の実施形態に係る携帯型電子機器Ｋは、ディスプレイ１０が取り付けられた上部筐体１と、キーボード１３が取り付けられた下部筐体２とを、ヒンジ３を介して開閉可能に結合して構成されている。
【００１３】
図２は、本発明の第１の実施形態に係る携帯型電子機器Ｋの分解図である。図２に示すように、下部筐体２は、フロントケース１１（ケーシング）と、フロントケース１１の底部に固定されるリアケース１２（ケーシング）と、キーボード１３と、フロントケース１１とリアケース１２との間に収容される回路基板１４と、を有している。
【００１４】
図３（Ａ）及び図３（Ｂ）は、本発明の第１の実施形態に係る携帯型電子機器Ｋにおけるキーボード１３の表面及び裏面を示す斜視図である。図３（Ａ）及び図３（Ｂ）に示すように、キーボード１３は、少なくとも、複数のキーボタン部１５と、キーボード１３の底部を構成するバックプレート部１６とから構成されている。
【００１５】
本発明の第１の実施形態に係る携帯型電子機器Ｋでは、キーボタン部１５は例えばパンタグラフ機構（不図示）を備えている。パンタグラフ機構は、キートップ全体をパンタグラフのリンク機構で支える構造のものである。パンタグラフ機構のキーボードは、キーの中心からずれてキータイプした場合でも、キーを垂直にストロークさせることができる。
【００１６】
バックプレート部１６には、図３（Ｃ）及び図３（Ｄ）に拡大して示すように、その縁部が部分的に外側に突出して３個の爪部１７（係止部）が設けられている。また、バックプレート部１６には、３個の爪部１７を含んだ縁部の全周に渡って、上方へ起立した水溜め壁１８が設けられている。更に、図３（Ｂ）に示すように、バックプレート部１６の裏面には、爪部１７と対向する側の側縁の近傍に、３個のネジボス部１９が突出して設けられている。このネジボス部１９には、図３（Ｂ）に示すように、雌ネジが切られたネジ孔Ｎが形成されている。また、バックプレート部１６からは、キーボタン用フレキシブル基板２０が延出されている。
【００１７】
本発明の第１の実施形態に係る携帯型電子機器Ｋでは、バックプレート部１６の縁部の全周に渡って水溜め壁１８が設けられているため、キーボード１３に水がかかっても、この水はキーボード１３の上面に貯留される。従って、キーボード１３から浸入した水が、後述する配線挿通穴２４を通って下部筐体２の内部へ浸入することがないため、高い防水効果が得られる。
【００１８】
図４及び図５は、本発明の第１の実施形態に係る携帯型電子機器におけるフロントケース１１の構成を示す図であり、図４は正面側から見た状態を示す斜視図、図５は背面側から見た状態を示す斜視図である。フロントケース１１の上面には、キーボード１３を設置するためのキーボード受面２１が設けられる。そして、キーボード受面２１には、例えば３個のボス嵌合凹部２２が形成されている。これらのボス嵌合凹部２２の位置は、図３（Ｂ）に示すバックプレート部１６のネジボス部１９の位置とそれぞれ対応している。また、図に詳細は示さないが、これらのボス嵌合凹部２２には、その底部にネジ挿通孔がそれぞれ形成されている。
【００１９】
また、キーボード受面２１周囲の一方の側壁には、図５に示すように、例えば３個の爪引掛部２３（被係止部）が設けられる。これらの爪引掛部２３の位置は、図３（Ａ）に示すバックプレート部１６の爪部１７の位置とそれぞれ対応している。また、これら爪引掛部２３の形状は、バックプレート部１６の爪部１７に嵌合する形状を有している。
【００２０】
尚、本実施形態では、キーボード１３に係止部としての爪部１７を設け、フロントケース１１に被係止部としての爪引掛部２３を設けたが、これとは逆に、キーボード１３に被係止部を設け、フロントケース１１に爪部を設けてもよい。
【００２１】
また、フロントケース１１のキーボード受面２１には、配線挿通穴２４が設けられる。配線挿通穴２４は、キーボード１３の底面から延出されたキーボタン用フレキシブル基板２０を通すための穴である。
【００２２】
図６は、本発明の第１の実施形態に係る携帯型電子機器における回路基板１４を示す斜視図である。図６に示すように、回路基板１４には、少なくともキーボタン用コネクタ２５が搭載されている。このキーボタン用コネクタ２５は、キーボード１３の底面から延出されたキーボタン用フレキシブル基板２０（図３（Ｂ）参照）と接続され、回路基板１４とキーボード１３とを電気的に接続させるためのコネクタである。
【００２３】
次に、本発明の第１の実施形態に係る携帯型電子機器Ｋの組み立て工程について説明する。本発明の第１の実施形態に係る携帯型電子機器Ｋを組み立てる場合には、図２において、作業者は、キーボード１３の底面から延出されたキーボタン用フレキシブル基板２０（図３参照）をフロントケース１１に設けられた配線挿通穴２４に挿通した後、キーボード１３のバックプレート部１６に設けられた爪部１７を、キーボード受面２１の側壁に形成された爪引掛部２３に嵌合させ、爪引掛部２３に爪部１７を引っ掛けながら、キーボード１３のネジボス部１９（図３（Ｂ）参照）をフロントケース１１のボス嵌合凹部２２に挿入させることにより、キーボード１３をフロントケース１１のキーボード受面２１に載置する。そして、作業者は、図に詳細は示さないが、フロントケース１１の裏面から、ボス嵌合凹部２２のネジ挿通孔を通してネジボス部１９のネジ孔Ｎにネジを螺合させることにより、キーボード１３をフロントケース１１に固定する。
【００２４】
このようにしてキーボード１３がフロントケース１１上に固定されたら、次に、作業者は、回路基板１４をフロントケース１１の底面に嵌合させることにより取り付ける。そして、作業者は、配線挿通穴２４から挿通されたキーボタン用フレキシブル基板２０を、回路基板１４のキーボタン用コネクタ２５（図６参照）に装着し、リアケース１２をフロントケース１１にネジ止めして固定する。
【００２５】
図７は、本発明の第１の実施形態に係る携帯型電子機器Ｋのキーボード１３のフロントケース１１への取り付け状態を示す断面図である。上述のように、本発明の第１の実施形態に係る携帯型電子機器Ｋでは、キーボード１３のバックプレート部１６には縁部の全周に渡って水溜め壁１８が設けられ、またバックプレート部１６には爪部１７が設けられる。キーボード１３をフロントケース１１に取り付ける際に、この爪部１７が、フロントケース１１のキーボード受面２１の側壁に形成された爪引掛部２３に嵌合される。そして、フロントケース１１の底面に回路基板１４が取り付けられ、更に、フロントケース１１の底部に、リアケース１２が取り付けられる。
【００２６】
このように、本発明の第１の実施形態に係る携帯型電子機器Ｋでは、バックプレート部１６の縁部に水溜め壁１８を形成しているため、キーボード１３内のバックプレート部１６に水を溜めることができる。このため、キーボード１３から浸入した水が、配線挿通穴２４を通って下部筐体２の内部へ浸入することがないため、高い防水効果が得られる。
【００２７】
更に、本発明の第１の実施形態に係る携帯型電子機器Ｋでは、爪部１７を含めてバックプレート部１６の縁部に水溜め壁１８を形成しているため、キーボード１３を小型化した場合でも、バックプレート部１６の上に十分な量の水を貯留することができ、防水性能をより高めることができる。
【００２８】
また、本発明の第１の実施形態に係る携帯型電子機器Ｋでは、爪部１７を含めてバックプレート部１６の縁部に水溜め壁１８を形成しているため、バックプレート部１６の強度アップを図ることができる。これにより、落下衝撃を受けた時や組み立て作業時にキーボード１３が変形しにくい。また、爪部１７を爪引掛部２３に嵌合させることでキーボード１３をフロントケース１１に固定しているので、組み立て工数を減らし、部品コストの低減が図れる。
【００２９】
また、本発明の第１の実施形態に係る携帯型電子機器Ｋでは、キーボード１３の爪部１７をフロントケース１１の爪引掛部２３に嵌合させることにより、キーボード１３の厚み方向へのガタツキを防止することができるとともに、キーボード１３の水平方向への位置ズレを防止することもできる。
【００３０】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００３１】
１：上部筐体
２：下部筐体
３：ヒンジ
１０：ディスプレイ
１１：フロントケース（ケーシング）
１２：リアケース（ケーシング）
１３：キーボード
１４：回路基板
１５：キーボタン部
１６：バックプレート部
１７：爪部（係止部）
１８：水溜め壁
１９：ネジボス部
２０：キーボタン用フレキシブル基板（電気配線）
２１：キーボード受面
２２：ボス嵌合凹部
２３：爪引掛部（被係止部）
２４：配線挿通穴
２５：キーボタン用コネクタ
Ｎ：ネジ孔
【図１】
2012027593.tif 000003
【図２】
2012027593.tif 000004
【図３】
2012027593.tif 000005
【図４】
2012027593.tif 000006
【図５】
2012027593.tif 000007
【図６】
2012027593.tif 000008
【図７】
2012027593.tif 000009